(57)【要約】
【課題】  換気口に防火ダンパーを簡単に取り付けることができるようにして、既存の換気口に防火ダンパーを付けたり、或いは防火ダンパー付きの換気口を効率的に製造するできるようにする。
【解決手段】  壁２などを貫通する開口縁部９を設けた通気筒３と、取付け用部材20を通気筒３に嵌合して設ける防火ダンパー19を備えている。取付け用部材20に開口縁部９と重ね合せ可能な取付け用縁部21を設けると共に、開口縁部９、取付け用縁部21を螺子体14により接続する。防火ダンパー19の取り付けを簡単に行うことができる。
【選択図】図４
0003101471.tif 000002
【実用新案登録請求の範囲】
【請求項１】
軸芯方向と交差方向に開口縁部を一側開口部の外周に設けた通気筒と、前記通気筒内に取付け用部材を介して設けられた防火ダンパーとを備え、前記取付け用部材に前記開口縁部と重ね合せ可能な取付け用縁部を設けると共に、前記開口縁部及び前記取付け用縁部を接続することを特徴とする防火ダンパー付き換気口。
【請求項２】
前記開口縁部と前記取付け用縁部に螺子体を通して、前記開口縁部及び前記取付け用縁部を着脱自在に固定することを特徴とする請求項１記載の防火ダンパー付き換気口。
【請求項３】
前記取付け用部材は前記通気筒に嵌合する枠体であり、かつ前記取付け用縁部は前記軸芯を中心として放射方向に設けられていることを特徴とする請求項１又は２記載の防火ダンパー付き換気口。
【請求項４】
前記取付け用部材は前記通気筒に嵌合する枠体であり、かつ前記取付け用縁部は前記軸芯を中心として環状に設けられていることを特徴とする請求項１又は２記載の防火ダンパー付き換気口。
【請求項５】
前記一側開口部の前記軸芯方向の外側に通気孔を形成した外装体を設け、前記外装体の縁に前記開口縁部又は前記取付け用縁部に重ね合せ可能な重ね合せ縁部を設けると共に、前記開口縁部と前記取付け用縁部と前記重ね合せ縁部を重ね合せて接続したことを特徴とする請求項１〜４のいずれか１項に記載の防火ダンパー付き換気口。
【請求項６】
前記防火ダンパーは、前記取付け用部材に設けた支軸に回動自在に設けられたシャッターと、前記シャッターを前記通気筒内部を閉方向に付勢する付勢手段と、前記シャッターを前記付勢手段の付勢力に抗して開方向に固定する温感ヒューズとを備えたことを特徴とする請求項１〜５のいずれか１項に記載の防火ダンパー付き換気口。
【考案の詳細な説明】
【技術分野】
【０００１】
本考案は、防火ダンパー付き換気口に関するものである。
【背景技術】
【０００２】
近年防災上の観点から、防火ダンパー付き換気口の必要性が増加している。また既存建築物や新築建築物への設置の必要性が増大している。
【０００３】
そこで従来、この種のものとして不燃材からなるフレーム部と、このフレーム部の室外側に固定されたフード部とを有し、フレーム部には、換気 用箱体の温度が所定温度以上となった際に空気の流路を遮断しうるダンパーが設けられ、ダンパー部材を付勢手段の付勢力に抗して開方向に固定する温感ヒューズが設けられている換気装置が知られている。
【０００４】
また、通気筒と、該通気筒の一側開口部の一方に設けられ通気孔を形成した外板と、前記一側開口部と前記外板との間に設けられ前記一側開口部を覆う網部材とを備えた換気口も知られている。そして、換気口を点検するために、通気筒の一側開口部に設けたフランジと、外板の縁には貫通孔が形成されており、これら貫通孔に螺子体を通して両者を着脱自在に固定するようになっている。
【特許文献１】特開平９−１０５５４２号公報
【特許文献２】実用新案第３０６３５７９号公報
【考案の開示】
【考案が解決しようとする課題】
【０００５】
従来技術のように防火ダンパー付き換気口と換気口とはそれぞれ別個であり、そのために防火ダンパーを既設の換気口に後付けすることができず、既設換気口を撤去して新たに防火ダンパー付きの換気口に交換しなければならなかった。また、換気口の製造にあっては防火ダンパーのない換気口や防火ダンパー付きの換気口をそれぞれ製造する必要があると同時に、それぞれの換気口には表面処理及び網の有無等多種の仕様があり、製造工程の省力化を向上できず、同時に流通段階においても、ユーザーの多種ニーズに合わせ仕様の異なる多種商品を用意しなければならず、流通業者は多量の商品在庫を持つこととなり、流通業者の効率化を阻害するという問題があった。
【０００６】
解決しようとする問題点は、換気口に防火ダンパーを簡単に取り付けることができるようにして、既設の換気口に施工現場で防火ダンパーを付けたり、或いは防火ダンパーのない既存商品の換気口に取り付けることで、防火ダンパー付きの換気口を効率的に製造できるようにし、また流通段階でもこれが可能になり多種商品を在庫する必要が低減され、流通段階での効率化も図れるようにする点である。
【課題を解決するための手段】
【０００７】
請求項１の考案は、軸芯方向と交差方向に開口縁部を一側開口部の外周に設けた通気筒と、前記通気筒内に取付け用部材を介して設けられた防火ダンパーとを備え、前記取付け用部材に前記開口縁部と重ね合せ可能な取付け用縁部を設けると共に、前記開口縁部及び前記取付け用縁部を接続することを特徴とする防火ダンパー付き換気口である。
【０００８】
請求項２の考案は、前記開口縁部と前記取付け用縁部に螺子体を通して、前記開口縁部及び前記取付け用縁部を着脱自在に固定することを特徴とする請求項１記載の防火ダンパー付き換気口である。
【０００９】
請求項３の考案においては、前記取付け用部材は前記通気筒に嵌合する枠体であり、かつ前記取付け用縁部は前記軸芯を中心として放射方向に設けられていることを特徴とする請求項１又は２記載の防火ダンパー付き換気口である。
【００１０】
請求項４の考案においては、前記取付け用部材は前記通気筒に嵌合する枠体であり、かつ前記取付け用縁部は前記軸芯を中心として環状に設けられていることを特徴とする請求項１又は２記載の防火ダンパー付き換気口である。
【００１１】
請求項５の考案においては、前記一側開口部の前記軸芯方向の外側に通気孔を形成した外装体を設け、前記外装体の縁に前記開口縁部又は前記取付け用縁部に重ね合せ可能な重ね合せ縁部を設けると共に、前記開口縁部と前記取付け用縁部と前記重ね合せ縁部を重ね合せて接続したことを特徴とする請求項１〜４のいずれか１項に記載の防火ダンパー付き換気口である。
【００１２】
請求項６の考案においては、前記防火ダンパーは、前記取付け用部材に設けた支軸に回動自在に設けられたシャッターと、前記シャッターを前記通気筒内部を閉方向に付勢する付勢手段と、前記シャッターを前記付勢手段の付勢力に抗して開方向に固定する温感ヒューズとを備えたことを特徴とする請求項１〜５のいずれか１項に記載の防火ダンパー付き換気口である。
【考案の効果】
【００１３】
請求項１の考案によれば、通気筒の開口縁部に、さらに取付け用縁部を重ね合せて接続することにより、防火ダンパーの取り付けを簡単に行うことができる。
【００１４】
請求項２の考案によれば、開口縁部に取付け用縁部を重ね合せて螺子体により固定することにより、防火ダンパーの取り付けを簡単に行うことができる。
【００１５】
請求項３の考案によれば、枠体は通気筒に嵌合するので位置合せできると共に、縁部は前記軸芯を中心として放射方向に設けられているので、材料を少なくすることができる。
【００１６】
請求項４の考案によれば、枠体は通気筒に嵌合するので位置合せできると共に、縁部は環状に設けられているので、安定性を向上することができる。
【００１７】
請求項５の考案によれば、防火ダンパーを備えた通気筒の外側に、がらりやフード等と称する外装体を一体的に取り付けることができる。
【００１８】
請求項６の考案によれば、温感ヒューズが溶けるとシャッターは付勢力に従って閉じられる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜図６は実施例１を示しており、換気口１は、壁２などを貫通する通気筒３と、この通気筒３の軸芯ａ方向の外側に位置する一側開口部４に設けられる第１の外装体５たるがらり等と称する小孔状の通気孔６を形成した円板状の外板と、この第１の外装体５の軸芯ａ方向の外側に窓孔状の通気孔７を形成した半球状の第２の外装体８たるフードとを備えている。尚、第１の外装体５の内側には図示しない防虫用網を設けてもよく、また外装体としては第１の外装体５と第２の外装体８の両方を取り付けたものの他に、第１の外装体５と第２の外装体８のいずれか一方を取り付けたものでもよい。そして、軸芯ａの方向と交差方向の一側開口部４の外側にフランジ状の開口縁部９を円環状に形成している。また、第１の外装体５の外縁には開口縁部９に重ね合せ可能なフランジ状の第１の重ね合せ縁部10が形成されている。さらに、第２の外装体８の外縁には第１の重ね合せ縁部10に重ね合せ可能なフランジ状の第２の重ね合せ縁部11が形成されている。そして、開口縁部９と、第１の重ね合せ縁部10と第２の重ね合せ縁部11には貫通孔12,13,15がそれぞれ形成されている。この貫通孔12,13,15は軸芯ａを中心として放射状に１２０°間隔となって３箇所にそれぞれ配置されており、第２の重ね合せ縁部11側よりビス等の螺子体14を螺入して開口縁部９と、第１、２の重ね合せ縁部10,11を着脱自在に固定できるようになっている。そして、ビス等の螺子体14は壁２に先端がねじ込まれて換気口１を壁２に固定できるようになっている。
【００２１】
前記通気筒３に設けられ火災などの際には開状態の後述するシャッターを閉じる防火ダンパー19は、該防火ダンパー19の取付け用部材20を通気筒３に嵌合して取り付けられるものであり、取付け用部材20は通気筒３の一側開口部４側の内周面に嵌合する円環状の枠体であり、該取付け用部材20に前記開口縁部４及び第１の重ね合せ縁部10との間に重ね合せ可能な取付け用縁部21を設けている。この取付け用縁部21は前記軸芯ａを中心として放射方向に１２０°間隔となって３箇所に突設しており、さらに、取付け用縁部20には前記貫通孔12,13,15と同芯状に貫通孔22が設けられている。そして、取付け用縁部21は開口縁部９と第１の重ね合せ縁部10との間に配置されて重ね合わされており、前記螺子体14が貫通孔12、13、22を通って開口縁部９と、取付け用縁部21と、第１の重ね合せ縁部10を着脱自在に固定できるようになっている。さらに、左右一対のシャッター23は、取付け用部材20に設けた支軸24に回動自在に設けられており、シャッター23を通気筒３内部において閉方向に付勢するコイルスプリングからなる付勢手段25と、シャッター23を付勢手段25の付勢力に抗して開方向に固定する温感ヒューズ26とを備えている。温感ヒューズ26はほぼ互いに平行に配置されている左右一対のシャッター23の先端間に嵌合するようになっており、前記通気筒３を通過する空気が所定温度以上となった際に温感ヒューズ26が溶けてシャッター23は通気筒３内部を遮断するようになっている。
【００２２】
次に前記構成についてその作用を説明する。組み立てにあっては、開口縁部９上に、取付け用縁部21、第１の重ね合せ縁部10及び第２の重ね合せ縁部11を重ね合せるように、通気筒３、防火ダンパー19、第１の外装体５及び第２の外装体８を配置すると共に、貫通孔12,13,15,22を同芯状に配置し、そして、貫通孔12,13,15,22に螺子体14を螺入して一体に固定すると共に、壁２へ取り付ける。
【００２３】
したがって、換気口１おいては常時は空気が通気筒３を通りぬけて換気を行うことができ、火災のときには通気筒３に熱風が通りぬけることにより、温感ヒューズ26が溶けてシャッター23は付勢手段25により付勢されて通気筒３内部を遮断する。
【００２４】
さらに、防火ダンパー19のない換気口の組み立てにあっては、開口縁部９上に、第１の重ね合せ縁部10を重ね合せるように、通気筒３、第１の外装体５、第２の外装体８を配置すると共に、貫通孔12,13,15を同芯状に配置し、そして、貫通孔12,13,15に螺子体14を螺入して一体に固定するものである。
【００２５】
また、既存の換気口１に防火ダンパー19を取り付けるには、螺子体14を外して第１の外装体５と第２の外装体８を外し、そして開口縁部９上に、防火ダンパー19の取付け用縁部21を重ね合せるように、通気筒３、防火ダンパー19、第１の外装体５と第２の外装体８を配置すると共に、螺子体14を螺入すればよい。
【００２６】
このように、前記実施例では防火ダンパー19のシャッター23の点検のため、第１の外装体５と第２の外装体８を取り外せる構造を有し、そして１箇所以上のビス等螺子体14により固定できるようになっているので、その螺子体14による固定機構を利用して、開口縁部９上に、取付け用縁部21、第１、２の重ね合せ縁部10,11を重ね合せるように、通気筒３、防火ダンパー19、第１の外装体５と第２の外装体８を配置すると共に、そして、螺子体14を螺入して一体に固定することにより、防火ダンパー19のあるもの或いはないものを同一部品を利用して組み立てることができ、製造にあっては第１の外装体５の内側に配置する防虫用網の有無を含め専用部品などが多種類の在庫が不要となり、製造工程を省略化することができる。
【００２７】
さらに既存の換気口１であっても、コーキング等で壁面２に固定してある通気筒３を取り外すことなく、固定してある螺子体14を取り外すことで、防火ダンパー19を取り外せ、シャッター23の点検が容易となり、シャッター23を作動させる温感ヒューズ26の交換も確実で容易となる。また簡単に着脱が可能なので、施工現場以外に施工後でも装着することができる。
【００２８】
以上のように、前記実施例では請求項１に対応して前記取付け用部材20に前記開口縁部９と重ね合せ可能な取付け用縁部21を設けると共に、前記開口縁部９及び前記取付け用縁部21を接続することにより、換気口１に防火ダンパー19を簡単に取り付けることができるので、既設の換気口１に施工現場で防火ダンパー19を付けたり、或いは防火ダンパーのない既存商品の換気口１に取り付けることで、防火ダンパー19付きの換気口１を効率的に製造でき、この結果流通段階では多種商品を在庫する必要が低減され、流通段階での効率化も図れるようなる。
【００２９】
また、前記実施例では請求項２に対応して螺子体14を通して、前記開口縁部９、前記取付け用縁部21を着脱自在に固定することができる。
【００３０】
さらに、前記実施例では請求項３に対応して前記取付け用部材20は嵌合する枠体であり、取付け用縁部21は放射方向に設けられているので、位置合せの向上や、材料を少なくすることができる。
【００３１】
さらに、前記実施例では請求項５に対応して、前記一側開口部４の軸芯ａ方向の外側に通気孔６,７を形成した第１、２の外装体５,８を設け、この第１、２の外装体５,８の縁に前記開口縁部９に重ねる前記取付け用縁部21に重ね合せ可能な第１、２の重ね合せ縁部10,11を設けると共に、前記開口縁部９と前記取付け用縁部21と前記第１、２の重ね合せ縁部10,11を重ね合せて螺子体14により接続したことにより、がらり等と称する防虫用網を付けたり付けなかったりする第１の外装体５やフード等と称する第２の外装体８を備えた防火ダンパー19付きの換気口１を提供することができる。
【００３２】
また、前記実施例では請求項６に対応して温感ヒューズ26が溶けると付勢手段によりシャッターは閉方向に確実に回動することができる。
【実施例２】
【００３３】
図７〜図９は実施例２を示しており、前記実施例１と同一部分には同一符号を付し、その詳細な説明を省略する。通気筒３の開口縁部９と、第１の外装体５の第１の重ね合せ縁部10と、第２の外装体８の第２の重ね合せ縁部11には貫通孔12,13,15がそれぞれ形成されている。この貫通孔12,13,15は軸芯ａを中心として放射状に１８０°間隔となって２箇所にそれぞれ配置されており、第２の重ね合せ縁部11側よりビス等の螺子体14を螺入して開口縁部９と、第１、２の重ね合せ縁部10,11を着脱自在に固定できるようになっている。そして、ビス等の螺子体14は壁２に先端がねじ込まれて換気口１を壁２に固定できるようになっている。
【００３４】
さらに、防火ダンパー19の取付け用部材20の取付け用縁部21は軸芯ａを中心として放射方向に１８０°間隔となって２箇所に突設しており、さらに、取付け用縁部21には前記貫通孔12と同芯状に貫通孔22が設けられている。
【００３５】
したがって、開口縁部９上に取付け用縁部21、第１の重ね合せ縁部10及び第２の重ね合せ縁部11を重ね合せるように、通気筒３、防火ダンパー19、第１の外装体５及び第２の外装体８を配置すると共に、貫通孔12,13,15,22を同芯状に配置し、そして、貫通孔12,13,15,22に螺子体14を螺入して一体に固定すると共に、壁２へ取り付ける。
【００３６】
このように、取付け用縁部21は実施例１のように３箇所である必要はなく、実施例２のように２箇所或いは図示しないが１箇所であってもよい。
【実施例３】
【００３７】
図１０〜図１１は実施例３を示しており、前記実施例１と同一部分には同一符号を付し、その詳細な説明を省略する。実施例２においては、取付け用縁部21は前記軸芯ａを中心としてフランジ状となって円環状に形成されており、さらに、取付け用縁部21には貫通孔22が設けられている。このように、取付け用縁部21をフランジ状の円環状とすることにより、取付け用縁部21の開口縁部や重ね合せ縁部との重ね合う面積が大きくなり安定性に優れるようになる。
【００３８】
前記実施例では請求項４に対応して前記取付け用部材20は嵌合する枠体であり、取付け用縁部21は環状に設けられているので、位置合せや安定性の向上を図ることができる。
【産業上の利用可能性】
【００３９】
以上のように本考案にかかる防火ダンパー付き換気口においては、防火ダンパーは左右一対のシャッターのようなものでもよく、また特許文献１のような多数のフィン状のもの等の用途にも適用できる。
【図面の簡単な説明】
【００４０】
【図１】本考案の実施例１を示す４つに分解した状態の斜視図である。
【図２】本考案の実施例１を示す３つに分解した状態の斜視図である。
【図３】本考案の実施例１を示す２つに分解した状態の斜視図である。
【図４】本考案の実施例１を示す要部の断面図である。
【図５】本考案の実施例１を示す防火ダンパーの正面図である。
【図６】本考案の実施例１を示す防火ダンパーの側面図である。
【図７】本考案の実施例２を示す４つに分解した状態の斜視図である。
【図８】本考案の実施例２を示す防火ダンパーの正面図である。
【図９】本考案の実施例２を示す防火ダンパーの側面図である。
【図１０】本考案の実施例３を示す防火ダンパーの正面図である。
【図１１】本考案の実施例３を示す防火ダンパーの側面図である。
【符号の説明】
【００４１】
３  通気筒
５  第１の外装体
６,７  通気孔
８  第２の外装体
９  開口縁部
10  第１の重ね合せ縁部
11  第２の重ね合せ縁部
14  螺子体
20  取付け用部材
21  取付け用縁部
23  シャッター
24  支軸
25  付勢手段
26  温感ヒューズ
ａ  軸芯
【図１】
0003101471.tif 000003
【図２】
0003101471.tif 000004
【図３】
0003101471.tif 000005
【図４】
0003101471.tif 000006
【図５】
0003101471.tif 000007
【図６】
0003101471.tif 000008
【図７】
0003101471.tif 000009
【図８】
0003101471.tif 000010
【図９】
0003101471.tif 000011
【図１０】
0003101471.tif 000012
【図１１】
0003101471.tif 000013